(57)【要約】【課題】装置の製造コストを抑えつつユーザの利便性を向上させることが可能な記録装置、文字入力装置、および文字入力用プログラムを提供する。【解決手段】放送受信装置１では、リモコン４２から受信したアルファベットの文字列が、ローマ字入力方式に従って変換することができるか否かなどが判断されることにより、ローマ字入力方式に従って処理できるか否かが判断される。そして、ローマ字入力方式に従って処理できる場合には、モニタ４０に、リモコン４２から送信されてきたアルファベットの文字列は、ローマ字入力方式に従って変換された結果であるかな文字として、表示される。【選択図】図１
2009176222.tif 000002
【特許請求の範囲】
【請求項１】
データをファイル形式で記録する記録部と、
情報の入力を受付ける入力部と、
前記入力部に入力された情報を第１の変換方式で文字情報に変換する第１の変換部と、
前記入力部に入力された情報を前記第１の変換方式とは異なる第２の変換方式で文字情報に変換する第２の変換部と、
前記入力部に入力された情報の変換結果として、前記第１の変換部または前記第２の変換部のいずれか一方による変換の結果を表示装置に出力する出力部と、
単語を見出し語とする辞書データを記憶する記憶部と、
前記入力部に入力された情報を前記第１の変換方式で変換した結果が前記見出し語の少なくとも一部と一致するか否かを判断する判断部と、
前記出力部が出力した変換出力した結果を前記記録部が記録したファイルに関連付けて前記記憶部に記憶する制御部とを備え、
前記出力部は、前記入力部に入力された情報の変換結果として、前記判断部が一致すると判断した場合には前記第１の変換部による変換の結果を出力し、前記判断部が一致しないと判断した場合には前記第２の変換部による変換の結果を出力し、
前記判断部は、前記入力部に入力された情報の量が所定の量となったことを条件として、前記判断を行ない、
前記出力部は、前記第１の変換部と前記第２の変換部のいずれか一方による変換の結果を出力している場合に、前記入力部に特定の情報を入力されたときには、いずれか他方による変換の結果を出力する、記録装置。
【請求項２】
情報の入力を受付ける入力部と、
前記入力部に入力された情報を複数の変換方式で文字情報に変換する変換部と、
前記入力部に入力された情報の変換結果として、前記複数の変換方式のいずれかによる変換の結果を出力する出力部と、
単語を記憶する記憶部と、
前記入力部に入力された情報を前記複数の変換方式の中の少なくとも一部の変換方式で変換した結果が前記記憶部に記憶された単語の少なくとも一部と一致するか否かを判断する判断部とを備え、
前記出力部は、前記入力部に入力された情報の変換結果として、前記判断部が一致すると判断した変換方式による変換の結果を表示装置に出力する、文字入力装置。
【請求項３】
前記変換部は、前記入力部に入力された情報を第１の変換方式で文字情報に変換する第１の変換部と、前記入力部に入力された情報を前記第１の変換方式とは異なる第２の変換方式で文字情報に変換する第２の変換部とを含み、
前記判断部は、前記入力部に入力された情報を前記第１の変換方式で変換した結果が前記記憶部に記憶された単語の少なくとも一部と一致するか否かを判断し、
前記出力部は、前記入力部に入力された情報の変換結果として、前記判断部が一致すると判断した場合には前記第１の変換部による変換の結果を出力し、前記判断部が一致しないと判断した場合には前記第２の変換部による変換の結果を前記表示装置に出力する、請求項２に記載の文字入力装置。
【請求項４】
前記出力部は、前記第１の変換部と前記第２の変換部のいずれか一方による変換の結果を出力している場合に、前記入力部に特定の情報を入力されたときには、いずれか他方による変換の結果を出力する、請求項２または請求項３に記載の文字入力装置。
【請求項５】
前記判断部は、前記入力部に入力された情報が所定の量となったことを条件として、前記判断を行なう、請求項２〜請求項４のいずれかに記載の文字入力装置。
【請求項６】
データをファイル形式で記録する記録部と、
前記出力部が出力した変換の結果を前記記録部が記録したファイルに関連付けて前記記憶部に記憶する制御部とをさらに備える、請求項２〜請求項５のいずれかに記載の文字入力装置。
【請求項７】
前記入力部は、キーボードからなる、請求項２〜請求項６のいずれかに記載の文字入力装置。
【請求項８】
文字入力装置において実行される文字入力用プログラムであって、
前記文字入力装置は、入力された情報を複数の変換方式で文字情報に変換する変換部と、単語を記憶する記憶部とを備え、
前記文字入力装置に、
情報の入力を受付けるステップと、
前記入力された情報を前記変換部における前記複数の変換方式の中の少なくとも一部の変換方式で変換した結果が前記記憶部に記憶された単語の少なくとも一部と一致するか否かを判断するステップと、
前記入力された情報の変換結果として、一致すると判断した変換方式による変換の結果を表示装置に出力するステップとを実行させる、文字入力用プログラム。
【発明の詳細な説明】
【技術分野】
【０００１】
本発明は、記録装置、文字入力装置、および文字入力用プログラムに関し、特に、入力された情報の文字情報への変換方式の切替えが容易な記録装置、文字入力装置、および文字入力用プログラムに関する。
【背景技術】
【０００２】
従来から、ユーザが装置に文字を入力するための技術として、種々の技術が開示されている。
【０００３】
たとえば、文字入力を容易にするために、特許文献１（特開平９−３１２０４４号公報）には、磁気記録再生装置に、文字入力のためのキーボードを備えさせる技術が開示されている。また、特許文献２（特開平９−１８５６１０号）には、接続されるキーボードのタイプ等に応じて入力されたキー信号の変換方式を決定する技術が開示されている。また、特許文献３（特開２００４−２１９４８号公報）や特許文献４（特開２００３−１５２９３３号公報）には、ＵＳＢ（Universal Serial Bus）端子が画像通信装置等に接続されたことを起因として接続された装置における文字入力の方式が変更される技術が開示されている。
【０００４】
なお、文字入力の方式には、操作部の各キーにアルファベットをアサインしてローマ字で日本語を入力するローマ字入力や、操作部の各キーにかな文字をアサインしてかな文字で日本語を入力するかな入力といった、複数の変換方式が利用されている。そして、これらの方式の中からの方式の選択に関し、種々の技術が開示されている。
【０００５】
たとえば、特許文献５（特開２０００−１９４５００号公報）には、ポインティングデバイスであるマウスに、日本語入力のオン／オフを切り替えるボタンをさらに備えさせる技術が開示されている。
【特許文献１】特開平９−３１２０４４号公報
【特許文献２】特開平９−１８５６１０号公報
【特許文献３】特開２００４−２１９４８号公報
【特許文献４】特開２００３−１５２９３３号公報
【特許文献５】特開２０００−１９４５００号公報
【発明の開示】
【発明が解決しようとする課題】
【０００６】
上記したように、従来では、文字の入力方式の選択を含め、装置において文字の入力に関する設定を変更する場合には、特許文献５に開示されるように、マウスに新たなボタンを設ける等の構成要素に対する設計変更や部品の追加を必要としていた。そして、このような技術では、装置の製造コストを上昇させてしまうという点で、必ずしも好ましいと言えない。この点では、特許文献１に開示された技術についても同様の課題を有すると言える。
【０００７】
一方、特許文献２〜特許文献４に開示されているように、文字入力の方式の選択の際に、ユーザにＵＳＢ端子に新たに装置を接続させる等の文字の入力に直接関連の無い動作をさせる技術では、ユーザにとって利便性に欠けると考えられる。文字入力の方式の選択は、ユーザが実際に文字入力のための操作を行なう体勢に入っている場面で必要とされることが多い。したがって、このような場面でユーザに文字の入力に直接関連の無い動作をさせることは、一度文字入力のための操作を行なう体勢をとったユーザに対して、文字入力の方式の選択のために当該体勢を崩させる必要があると考えられるからである。
【０００８】
本発明は、かかる実情に鑑み考え出されたものであり、その目的は、装置の製造コストを抑えつつユーザの利便性を向上させることが可能な記録装置、文字入力装置、および文字入力用プログラムを提供することである。
【課題を解決するための手段】
【０００９】
本発明に従った記録装置は、データをファイル形式で記録する記録部と、情報の入力を受付ける入力部と、前記入力部に入力された情報を第１の変換方式で文字情報に変換する第１の変換部と、前記入力部に入力された情報を前記第１の変換方式とは異なる第２の変換方式で文字情報に変換する第２の変換部と、前記入力部に入力された情報の変換結果として、前記第１の変換部または前記第２の変換部のいずれか一方による変換の結果を表示装置に出力する出力部と、単語を見出し語とする辞書データを記憶する記憶部と、前記入力部に入力された情報を前記第１の変換方式で変換した結果が前記見出し語の少なくとも一部と一致するか否かを判断する判断部と、前記出力部が出力した変換出力した結果を前記記録部が記録したファイルに関連付けて前記記憶部に記憶する制御部とを備え、前記出力部は、前記入力部に入力された情報の変換結果として、前記判断部が一致すると判断した場合には前記第１の変換部による変換の結果を出力し、前記判断部が一致しないと判断した場合には前記第２の変換部による変換の結果を出力し、前記判断部は、前記入力部に入力された情報の量が所定の量となったことを条件として、前記判断を行ない、前記出力部は、前記第１の変換部と前記第２の変換部のいずれか一方による変換の結果を出力している場合に、前記入力部に特定の情報を入力されたときには、いずれか他方による変換の結果を出力することを特徴とする。
【００１０】
本発明に従った文字入力装置は、情報の入力を受付ける入力部と、前記入力部に入力された情報を複数の変換方式で文字情報に変換する変換部と、前記入力部に入力された情報の変換結果として、前記複数の変換方式のいずれかによる変換の結果を出力する出力部と、単語を記憶する記憶部と、前記入力部に入力された情報を前記複数の変換方式の中の少なくとも一部の変換方式で変換した結果が前記記憶部に記憶された単語の少なくとも一部と一致するか否かを判断する判断部とを備え、前記出力部は、前記入力部に入力された情報の変換結果として、前記判断部が一致すると判断した変換方式による変換の結果を表示装置に出力することを特徴とする。
【００１１】
また、本発明の文字入力装置では、前記変換部は、前記入力部に入力された情報を第１の変換方式で文字情報に変換する第１の変換部と、前記入力部に入力された情報を前記第１の変換方式とは異なる第２の変換方式で文字情報に変換する第２の変換部とを含み、前記判断部は、前記入力部に入力された情報を前記第１の変換方式で変換した結果が前記記憶部に記憶された単語の少なくとも一部と一致するか否かを判断し、前記出力部は、前記入力部に入力された情報の変換結果として、前記判断部が一致すると判断した場合には前記第１の変換部による変換の結果を出力し、前記判断部が一致しないと判断した場合には前記第２の変換部による変換の結果を前記表示装置に出力することが好ましい。
【００１２】
また、本発明の文字入力装置では、前記出力部は、前記第１の変換部と前記第２の変換部のいずれか一方による変換の結果を出力している場合に、前記入力部に特定の情報を入力されたときには、いずれか他方による変換の結果を出力することが好ましい。
【００１３】
また、本発明の文字入力装置では、前記判断部は、前記入力部に入力された情報が所定の量となったことを条件として、前記判断を行なうことが好ましい。
【００１４】
また、本発明の文字入力装置は、データをファイル形式で記録する記録部と、前記出力部が出力した変換の結果を前記記録部が記録したファイルに関連付けて前記記憶部に記憶する制御部とをさらに備えることが好ましい。
【００１５】
また、本発明の文字入力装置では、前記入力部は、キーボードからなることが好ましい。
【００１６】
本発明に従った文字入力用プログラムは、文字入力装置において実行される文字入力用プログラムであって、前記文字入力装置は、入力された情報を複数の変換方式で文字情報に変換する変換部と、単語を記憶する記憶部とを備え、前記文字入力装置に、情報の入力を受付けるステップと、前記入力された情報を前記変換部における前記複数の変換方式の中の少なくとも一部の変換方式で変換した結果が前記記憶部に記憶された単語の少なくとも一部と一致するか否かを判断するステップと、前記入力された情報の変換結果として、一致すると判断した変換方式による変換の結果を表示装置に出力するステップとを実行させることを特徴とする。
【発明の効果】
【００１７】
本発明によれば、入力された情報が複数の変換方式で文字情報に変換される装置、つまり、複数の文字入力方式を採用している装置において、入力された情報が複数の変換方式の中の１の変換方式に合致するものであるか否かが判断され、合致するものであると判断されると当該変換方式が（文字入力の方式として）採用され、合致しないものであると判断されると他の変換方式が採用される。
【００１８】
したがって、本発明によれば、装置に専用のボタン等の部品を追加することなく、また、ユーザに煩雑な操作をさせることを必要とすることなく、入力された情報に対応した、変換方式の選択（文字入力の方式の選択）が可能となる。
【発明を実施するための最良の形態】
【００１９】
以下、図面を参照しつつ、本発明の文字入力装置および記録装置の一実施の形態である放送受信装置について説明する。以下の説明では、同一の部品には同一の符号を付してある。それらの名称および機能も同じである。したがって、それらについての詳細な説明は繰り返さない。
【００２０】
図１を参照して、本発明の一実施の形態である放送受信装置１は、アンテナ３０から放送信号を受信し、リモコン４２から指令信号を受信し、モニタ４０に映像信号および音声信号を出力する。
【００２１】
アンテナ３０は、放送局から電波で送信されてくる放送信号を受信し、放送受信装置１に供給する。
【００２２】
リモコン４２は、ユーザからの操作を受付けて、ユーザによる操作に応じた操作信号を赤外線で放送受像装置１に送信する。なお、リモコン４２から出力される操作信号は、赤外線に限定されず、無線であってもよい。また、リモコン４２およびリモコン送受信部２６に替えて、または、リモコン４２およびリモコン送受信部２６とともに、放送受信装置１の本体に、ユーザからの操作を受付けて、操作信号を制御部１０に出力する操作受付部を設けるようにしてもよい。
【００２３】
放送受信装置１は、制御部１０と、チューナ１６と、復調部１８と、デコーダ２２と、リモコン送受信部２６とを含む。
【００２４】
制御部１０は、プログラムを実行するＣＰＵ（Central Processing Unit）１０Ａと、実行されるプログラム、プログラム実行中のデータ、および、プログラム実行結果のデータを記憶するメモリ１０Ｂとを含む。
【００２５】
記憶部１１は、制御部１０が実行するプログラムや、後述する辞書データ等の種々のデータやプログラムを記憶する。
【００２６】
なお、制御部１０が実行するプログラムは、メモリ１０Ｂや記憶部１１のように、放送受信装置１の本体に固定されている記憶装置に記憶されていても良いし、放送受信装置１の本体に対して着脱可能な記録媒体に記録されていても良い。また、当該プログラムは、ネットワークを介して、メモリ１０Ｂや記憶部１１にインストールされても良い。また、制御部１０は、ネットワークを介して接続された装置等、放送受信装置１とは別の装置の記録装置に記録されたプログラムを実行することにより、本実施の形態において示されるような機能を実現させても良い。
【００２７】
チューナ１６は、受信した放送信号の中から、制御部１０からの指令に応じて選択されたチャネルに対応する放送信号を抽出する。そして、チューナ１６は、抽出した放送信号を復調部１８へ出力する。
【００２８】
復調部１８は、チューナ１６から放送信号を受けて、放送信号を映像および音声がデジタル符号化されたＭＰＥＧ−２ＴＳ（Moving Picture Experts Group phase 2 TransportStream）信号に復調し、ＭＰＥＧ−２ＴＳ信号をデコーダ２２へ出力する。
【００２９】
ここで、デジタルテレビ放送信号は、リード・ソロモン符号および畳み込み符号で符号化されて送信される。そのため、復調部１８は、上述の復号処理において誤り訂正ができる。この誤り訂正の処理過程において、復調部１８は、受信した放送信号の受信データ誤り率を演算し、その受信データ誤り率を制御部１０へ出力する。
【００３０】
なお、デジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）がある。放送受信装置１は、いずれの方式にも対応することができる。
【００３１】
デコーダ２２は、復調部１８から受けたＭＰＥＧ−２ＴＳ信号を映像信号および音声信号に復号する。そして、デコーダ２２は、復号された映像信号および音声信号をモニタ４０へ出力する。
【００３２】
リモコン送受信部２６は、リモコン４２からの操作信号を受信して、受信した操作信号を制御部１０へ出力する。また、リモコン受信部２６は、制御部１０から受けた所定の情報をリモコン４２に送信する。
【００３３】
制御部１０は、リモコン送受信部２６から受信した操作信号に応じて、チューナ１６、復調部１８、および、デコーダ２２を制御する。
【００３４】
モニタ４０は、デコーダ２２からの映像信号および音声信号をそれぞれ映像および音声に変換して、変換された映像および音声をユーザが視聴可能なようにする。
【００３５】
図２は、リモコン４２の斜視図である。
図２を参照して、リモコン４２の本体４２１には、複数のキーからなる操作部４９０が設けられている。操作部４９０には、放送受信装置１の電源のオン／オフを切換える電源キー４９１、数字や記号を入力するための数字キー４９２、上下左右および中央に配置された５つのキーからなる十字キー４９３を含む。
【００３６】
放送受信装置１は、録画機能を有している。録画された番組の情報は、ファイル形式で、記憶部１１に記憶される。ユーザは、このように生成されたファイルの名称を、リモコン４２を操作することにより、放送受信装置１に対して入力することができる。
【００３７】
数字キー４９２は、スペース（空白）を入力するためのスペースキー４９２Ａを含む。十字キー４９３は、選択されている内容を確定させる場合などに操作される決定キー４９３Ａを含む。
【００３８】
リモコン４２は、数字キー４９２などを操作されることにより、放送受信装置１に対して文字を入力することができる。放送受信装置１では、リモコン４２から入力される情報に応じた文字入力に際して、「ローマ字入力」および「直接入力」の２つの方式により入力を受付けることができる。本実施の形態では、後述するように、放送受信装置１は、リモコン４２から文字入力のための情報を受付ける場合、当該情報がローマ字入力に従ったものであると判断すると、リモコン４２から受信した情報をローマ字入力方式に従って処理する。一方、放送受信装置１は、リモコン４２から受信した情報が、ローマ字入力方式に従ったものではないと判断すると、当該リモコン４２から受信した情報を、直接文字入力方式に従って処理する。
【００３９】
なお、リモコン４２では、数字キー４９２のそれぞれに、連続操作回数に応じたアルファベットがアサインされている。本実施の形態において、ローマ字入力とは、数字キー４９２が操作されることにより入力されたアルファベットの文字列をローマ字として扱ってひらがな等への変換につなげるような入力方式を言い、また、直接入力とは、入力されたアルファベットをそのままアルファベットとして扱う入力方式を言う。
【００４０】
図３は、リモコン４２のハードウェア構成を模式的に示す図である。
リモコン４２は、当該リモコン４２の動作を全体的に制御する制御部４２０を含む。制御部４２０へは、操作部４９０を構成する各キーが操作された場合に、各キーに応じた情報が、制御部４２０へ送信される。
【００４１】
リモコン４２には、操作部４９０の各キーに関連付けられて、各キーが操作された場合に放送受信装置１に対してどのような情報を送信するかを含む、種々の情報が記憶されている。制御部４２０は、操作部４９０の中のいずれかのキーが操作されると、当該操作されたキーに対応する情報を記憶部４２２から読出し、当該読出した情報を、送受信部４２８を介して、放送受信装置１へ送信する。
【００４２】
再度図１を参照して、放送受信装置１では、上記したような文字入力の際にリモコン送受信部２６を介してリモコン４２からの文字入力のための情報を受信すると、ＣＰＵ１０Ａは、当該受信した情報を記憶部１１に記憶された情報を参照することにより適宜変換し、モニタ４０へ表示させる。
【００４３】
図４に、記憶部１１の記憶内容を模式的に示す。
図４を参照して、記憶部１１には、録画された番組のファイルなどを記憶するファイル記憶部１１１、リモコン４２から送信されてきたアルファベットを入力する情報を対応するアルファベットに変換するためのテーブルである入力信号変換テーブル１１２と、英単語を見出し語とする英和辞書記憶部１１３と、ユーザが登録した単語を見出し語とするユーザ辞書記憶部１１４と、ユーザが入力したアルファベットの配列をローマ字入力方式に従って直接文字に変換するためのテーブルであるローマ字入力変換テーブル１１５と、日本語の単語を見出し語とする国語辞書を記憶する国語辞書記憶部１１６と、ファイル記憶部１１１に記憶された各ファイルのファイル名などの情報を記憶するファイル関連情報記憶部１１７とを含む。ファイル関連情報記憶部１１７では、ファイル記憶部１１１に記憶された各ファイルに関連する情報が、各ファイルに関連付けられて記憶されている。
【００４４】
上記したように、放送受信装置１では、リモコン４２から、ファイル記憶部１１１に記憶された各ファイルのファイル名としてなど、文字を入力するための情報が処理される場合、入力されたアルファベットの配列をそのままの状態で扱う直接入力方式と、入力された文字列をローマ字として扱い、各ローマ字に対応するかなを表示させるローマ字入力方式とで処理することができる。また、放送受信装置１では、これらの方式の選択（および切換）は、ユーザが文字入力のために操作するリモコン４２の操作部４９０上のキーを操作することにより実現される。ここで、放送受信装置１において、リモコン４２から文字を入力するための情報が送信された際の処理（文字入力処理）の内容について、当該処理のフローチャートである図５を参照して説明する。
【００４５】
図５を参照して、文字入力処理では、ＣＰＵ１００は、まずステップＳ１０で、リモコン４２から文字入力のための情報を受信したか否かを判断し、受信したと判断するとステップＳ１１へ処理を進める。
【００４６】
ステップＳ１１では、ＣＰＵ１０Ａは、入力信号変換テーブル１１２を参照することにより、リモコン４２から送信された情報をアルファベット（の配列）に変換して、モニタ４０へ表示させる。
【００４７】
次に、ＣＰＵ１０Ａは、ステップＳ１２で、リモコン４２から、決定キー４９３Ａが操作されたことに対応する情報が送信されてきた（以下、単に「リモコン４２で決定キー４９３Ａが操作された」と言う）か否かを判断し、操作されたと判断するとステップＳ３０へ処理を進め、操作されていないと判断するとステップＳ１４へ処理を進める。
【００４８】
ステップＳ１４では、ＣＰＵ１０Ａは、モニタ４０に、（確定されない状態で）所定の字数以上の文字が連続して入力されているか否かを判断し、そうであると判断するとステップＳ１６へ処理を進め、そうではないと判断するとステップＳ１０へ処理を戻す。
【００４９】
ステップＳ１６では、ＣＰＵ１０Ａは、モニタ４０に表示されている入力された文字列（アルファベットの配列）がローマ字の配列に対応しているか否かを判断し、対応していると判断するとステップＳ１８へ処理を進め、対応していないと判断するとステップＳ１１へ処理を戻す。
【００５０】
なお、ステップＳ１６における、ローマ字の配列に対応したものであるか否かの判断は、たとえば、その時点での入力されたアルファベットの配列を、ローマ字変換した場合に、ローマ字変換ができるか否か、そして、ローマ字変換ができた場合に、国語辞書記憶部１１６に記憶された国語辞書の見出し語の読みの先頭からすべてが一致するか否かを判断することにより行なわれる。また、ローマ字変換ができたか否かとは、入力されているアルファベットの文字列のすべてが、ローマ字変換によりひらがなに変換することができたか否かによって判断される。
【００５１】
ステップＳ１８では、ＣＰＵ１０Ａは、ステップＳ１１またはステップＳ２８でアルファベット表示された、入力された文字列を、ローマ字入力変換テーブル１１５を参照することによりローマ字変換して、変換後のかなをモニタ４０に表示させる。
【００５２】
次に、ステップＳ２０では、ＣＰＵ１０Ａは、リモコン４２においてスペースキーが操作されたか否かを判断し、操作されたと判断するとステップＳ２２へ処理を進め、操作されていないと判断するとステップＳ２６へ処理を進める。
【００５３】
ステップＳ２６では、ＣＰＵ１０Ａは、リモコン４２においてスペースキー４９２Ａ以外のキーが操作されたか否かを判断し、操作されたと判断するとステップＳ２８へ処理を進め、操作されていないと判断するとステップＳ２０へ処理を戻す。
【００５４】
ステップＳ２８では、ステップＳ１８におけるかな表示を、アルファベット表示に戻して、ステップＳ１１へ処理を戻す。
【００５５】
このように、本実施の形態では、リモコン４２から放送受信装置１に対して所定字数（たとえば、４文字）以上の文字列が連続して入力された場合、当該アルファベットの文字列をローマ字入力方式によってかな文字に変換することが可能であるか否かが判断される。そして、可能であると判断されると、モニタ４０では、リモコン４２から送信されてきたアルファベットの配列は、ローマ字入力方式に従ってかな文字に変換されて、モニタ４２へ表示させる。なお、このようにかな文字として表示された際に、リモコン４２においてスペースキー４９３Ａ以外のキーが操作されると、リモコン４２から入力された情報は、再度アルファベットの配列に戻されて、モニタ４０へ表示される。
【００５６】
ステップＳ２２では、ＣＰＵ１０Ａは、ステップＳ１８で表示されたかな文字に対して、国語辞書記憶部１１６に記憶された国語辞書および／またはユーザ辞書記憶部１１４に記憶されたユーザ辞書を参照することにより変換処理を行なう。なお、ステップＳ２２における、かな文字に対する国語辞書などを参照した変換処理の詳細については、周知の技術を採用できるため、ここでは詳細を繰返さない。
【００５７】
次に、ＣＰＵ１０Ａは、ステップＳ２４において、リモコン４２に対して文字の入力を終了するための操作がなされたか否かを判断し、なされたと判断するとステップＳ３４へ処理を進め、そのような操作はなされていないと判断するとステップＳ１０へ処理を戻す。
【００５８】
一方、ステップＳ３０では、ＣＰＵ１０Ａは、入力されている文字を確定させて、ステップＳ３２へ処理を進める。
【００５９】
ここで、入力されている文字の確定とは、確定の対象となった文字を示す情報を、リモコン４２から受信してからそれまでに記憶していた状態とは異なる状態で記憶することを言う。
【００６０】
ステップＳ３２では、ＣＰＵ１０Ａは、ステップＳ２４と同様に、リモコン４２に対して文字の入力を終了させるための操作がなされたか否かを判断し、そのような操作がなされたと判断するとステップＳ３４へ処理を進め、なされていないと判断するとステップＳ１０へ処理を戻す。
【００６１】
ステップＳ３４では、その時点で確定されている文字を、ファイル関連情報記憶部１１７において、その時点で処理対象となっているファイルに関連付けて（たとえば、ファイル名として）、記憶させて、文字入力処理を終了させる。
【００６２】
以上説明した本実施の形態において、放送受信装置１とリモコン４２により、文字入力装置が構成されている。
【００６３】
放送受信装置１では、リモコン４２から受信したアルファベットの文字列が、ローマ字入力方式に従って変換することができるか否かなどが判断されることにより、ローマ字入力方式に従って処理できるか否かが判断される。そして、ローマ字入力方式に従って処理できる場合には、モニタ４０に、リモコン４２から送信されてきたアルファベットの文字列は、ローマ字入力方式に従って変換された結果であるかな文字として、表示される。
【００６４】
なお、本実施の形態における文字入力装置または記録装置において実現される文字入力の方式（入力された情報を文字情報に変換する変換方式）は、上記した直接入力方式とローマ字入力方式に限定されない。たとえば、放送受信装置１では、リモコン４２の数字キー４９２のそれぞれに、ローマ字をアサインするとともにかな文字もアサインし、リモコン４２から受信する情報を、かな入力方式に従って処理して、文字情報に変換することもできる。
【００６５】
この場合、図５を参照して説明した文字入力処理において、ステップＳ１６において、リモコン４２から受信したアルファベットの文字列がローマ字入力に従った配列ではないと判断した場合に、ＣＰＵ１０Ａは、リモコン４２が数字キー４９２を操作されることによって送信してきた情報を、数字キー４９２に含まれる各キーにアサインされたかな文字に変換するという、かな入力方式で変換して、モニタ４０に表示させるように構成されてもよい。
【００６６】
また、以上説明した本実施の形態では、ＣＰＵ１０Ａは、リモコン４２から入力されたアルファベットの配列に対して、ステップＳ１６の判断に従って処理することにより、直接入力方式からローマ字入力方式へ入力方式を切換える。なお、ユーザは、入力方式を直接入力に戻した場合には、リモコン４２において、スペースキー４９２Ａ以外のキーを操作すればよい。
【００６７】
以上、図５を参照した文字入力処理において、ステップＳ１４における「所定字数」は、ユーザによって適宜変更することができる。
【００６８】
以上説明した本実施の形態では、文字入力装置および記録装置の一例としてデジタル放送受信装置を採用して説明が行なわれたが、本発明の文字入力装置および記録装置を構成する装置としては、デジタル放送受信装置に限定されない。ユーザからの操作を受付け、当該操作によって入力された情報を複数の変換方式で文字情報に変換できるような装置であれば、汎用のコンピュータや携帯電話機など、他の装置であってもよい。
【００６９】
また、本実施の形態では、入力部の一例としてリモコン４２が採用されたが、入力部はこれに限らず、汎用のパーソナルコンピュータにおいて利用されるキーボードであっても良い。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７１】
【図１】本発明の文字入力装置および記録装置の一実施の形態である放送受信装置のハードウェア構成を模式的に示す図である。
【図２】図１のリモコンの斜視図である。
【図３】図１のリモコンのハードウェア構成を模式的に示す図である。
【図４】図１の記憶部における記憶内容を模式的に示す図である。
【図５】図１のＣＰＵが実行する文字入力処理のフローチャートである。
【符号の説明】
【００７２】
１  放送受信装置、１０  制御部、１０Ａ  ＣＰＵ、１０Ｂ  メモリ、１１  記憶部、１６  チューナ、１８  復調部、２２  デコーダ、３０  アンテナ、４０  モニタ、４２  リモコン、１１１  ファイル記憶部、１１２  入力信号変換テーブル、１１３  英和辞書記憶部、１１４  ユーザ辞書記憶部、１１５  ローマ字入力変換テーブル、１１６  国語辞書記憶部、１１７  ファイル関連情報記憶部、４２１  本体、４９０  操作部、４９１  電源キー、４９２  数字キー、４９２Ａ  スペースキー、４９３  十字キー、４９３Ａ  決定キー。
【図１】
2009176222.tif 000003
【図２】
2009176222.tif 000004
【図３】
2009176222.tif 000005
【図４】
2009176222.tif 000006
【図５】
2009176222.tif 000007